(57)【特許請求の範囲】
【請求項１】
電線を取り囲む周壁を備えた電線カバーであって、
前記周壁は、底壁と、この底壁の両側縁から上方に立ち上がる一対の側壁と、各側壁の上縁同士を連結する天井壁とを備えて構成され、前記側壁の内面には、前記底壁に向けて下り勾配をなすテーパ状の案内面が形成され、前記底壁と前記側壁の角部に排水孔が貫通して形成され、前記排水孔は、前記案内面に連なって形成され、かつ、下方と側方に開口していることを特徴とする電線カバー。
【請求項２】
前記周壁には、前記電線を挿通させてこれを保持する電線保持部が形成されており、前記排水孔は、前記電線保持部の付近に形成されていることを特徴とする請求項１に記載の電線カバー。
【発明の詳細な説明】
【技術分野】
【０００１】
本発明は、電線カバーに関する。
【背景技術】
【０００２】
従来、電線を覆う電線カバーとして下記特許文献１に記載のものが知られている。この電線カバーは、電線を取り囲む周壁を備えており、この周壁には、排水孔が貫通して形成されている。電線カバーの内部に水が浸入した場合、排水孔から水を外部に排出することができる。
【先行技術文献】
【特許文献】
【０００３】
【特許文献１】特開２００５−１９０６９号公報
【発明の概要】
【発明が解決しようとする課題】
【０００４】
しかしながら、上記の電線カバーは排水孔を備えているものの、周壁に付着した水が排水孔に向けて流れるように構成されていないため、電線カバーの内部に水が残りやすかった。
【０００５】
本発明は上記のような事情に基づいて完成されたものであって、電線カバーの内部に浸入した水を外部に排出しやすくすることを目的とする。
【課題を解決するための手段】
【０００６】
本発明は、電線を取り囲む周壁を備えた電線カバーであって、周壁は、底壁と、この底壁の両側縁から上方に立ち上がる一対の側壁と、各側壁の上縁同士を連結する天井壁とを備えて構成され、側壁の内面には、底壁に向けて下り勾配をなすテーパ状の案内面が形成され、底壁と側壁の角部に排水孔が貫通して形成され、排水孔は、案内面に連なって形成され、かつ、下方と側方に開口している構成としたところに特徴を有する。
【０００７】
このような構成によると、電線カバーの内部に浸入した水が案内面によって排水孔に案内され、この排水孔から外部に排出されるため、電線カバーの内部に浸入した水を外部に排出しやすくできる。
【０００８】
本発明の実施の態様として、以下の構成が好ましい。
周壁には、電線を挿通させてこれを保持する電線保持部が形成されており、排水孔は、電線保持部の付近に形成されている構成としてもよい。
【０００９】
このような構成によると、電線を伝って電線保持部から電線カバーの内部に水が浸入しやすくなるものの、排水孔が電線保持部の付近に形成されているため、電線保持部から浸入した水を排水孔から効率よく外部へ排出することができる。
【発明の効果】
【００１０】
本発明によれば、電線カバーの内部に浸入した水を外部に排出しやすくできる。
【図面の簡単な説明】
【００１１】
【図１】電線カバーを開いた状態におけるその内部側を示した平面図
【図２】図１におけるＡ−Ａ線断面図
【図３】図１におけるＢ−Ｂ線断面図
【図４】電線カバーを開いた状態におけるその外部側を示した平面図
【図５】電線カバーによって電線の端末部分を覆った状態を側方から見た図
【図６】電線カバーを閉じた状態における水の排水経路を示した図
【発明を実施するための形態】
【００１２】
＜実施形態＞
本発明の実施形態を図１ないし図６の図面を参照しながら説明する。本実施形態の電線カバー１０は、図１に示すように、ベース部材１１と、このカバー部材１２と、ベース部材１１およびカバー部材１２を連結する可撓性のヒンジ１３とを備えて構成されており、ヒンジ１３を中心としてカバー部材１２をベース部材１１に対して回動させることでカバー部材１２がベース部材１１に組み付けられるようになっている。
【００１３】
また、電線カバー１０は、図５に示すように、電線Ｗの端末部を覆うカバー本体２０と、このカバー本体２０の前方に連なって設けられたボルト収容部３０とを有している。カバー本体２０は合成樹脂製であって、図６に示すように、底壁２１と、この底壁２１の両側縁から対向状態をなして立ち上がる一対の側壁２２，２２と、各側壁２２，２２の上縁同士を連結して底壁２１と対向状態をなす天井壁２３とを備えて構成されている。
【００１４】
底壁２１は、ベース部材１１に設けられており、天井壁２３は、カバー部材１２に設けられている。また、各側壁２２，２２は、ベース部材１１とカバー部材１２の合わせ面１４によって上下に分断されている。ボルト収容部３０も同様に、ベース部材１１とカバー部材１２の合わせ面１４によって上下に分断されており、ベース部材１１に設けられたボルト挿通部３１と、カバー部材１２に設けられたボルトカバー部３２とから構成されている。
【００１５】
ボルトカバー部３２は、一対の薄肉部３４，３４を介して天井壁２３の前縁に連結されており、ボルト挿通部３１の上端開口を開閉可能とされている。なお、ボルト挿通部３１の上端開口が開いた状態におけるボルトカバー部３２の位置を開き位置とし、ボルト挿通部３１の上端開口が閉じた状態におけるボルトカバー部３２の位置を閉じ位置とする。各薄肉部３４，３４の間であってボルトカバー部３２と天井壁２３の間には、略Ｖ字形をなす付勢部材３３が架設されており、付勢部材３３の弾性変形に伴ってによってボルトカバー部３２が閉じ位置と開き位置の間で勢いよく回動するように構成されている。
【００１６】
ボルト収容部３０は、図５に示すように、バッテリ（図示せず）の上面に立設されたスタッドボルトＢの先端を収容するとともに、このスタッドボルトＢに螺合されたナットＮを収容している。スタッドボルトＢには、丸端子４０が接続されており、この丸端子４０は、円孔が形成された接続部４１と、この接続部４１の後方に連なる圧着部４２とを備えて構成されている。接続部４１の円孔にスタッドボルトＢを挿通し、ナットＮで締め込むことにより、接続部４１がスタッドボルトＢの台座Ｂ１とナットＮの間に狭圧された状態となって、スタッドボルトＢと接続部４１が導通可能に接続される。
【００１７】
圧着部４２は、電線Ｗの端末において絶縁被覆を皮剥きすることで露出された芯線に圧着されるワイヤバレル４２Ａと、絶縁被覆の端末に圧着されるインシュレーションバレル４２Ｂとを備えている。天井壁２３には、芯線に圧着されたワイヤバレル４２Ａを上方から押さえ付ける押さえ部２４が設けられている。この押さえ部２４は、弾性変形可能とされており、弾性変形した際の弾性復帰力によってワイヤバレル４２Ａを押さえ付けるように構成されている。
【００１８】
カバー本体２０の後端には、電線保持部２５が形成されている。この電線保持部２５は、底壁２１の後縁と各側壁２２，２２の後縁と、天井壁２３の後縁とに連結されており、ベース部材１１とカバー部材１２の合わせ面１４によって上下に分断されている。電線保持部２５には、電線Ｗを挿通させる電線挿通孔２８が貫通して形成されている。電線挿通孔２８は、電線Ｗの外径よりも大径とされており、電線挿通孔２８の内周面と電線Ｗの外周面の間には、隙間Ｓが形成されている。このため、電線保持部２５の内側には、電線Ｗを伝って水が浸入しやすくなっている。
【００１９】
そこで、図１に示すように、底壁２１の後端には左右一対の排水孔２６，２６が貫通して形成されており、各排水孔２６，２６によって電線カバー１０の内部に浸入した水を外部に排出しやすくなっている。また、各側壁２２の内側には、図２に示すように、底壁２１に向けて下り勾配をなすテーパ状の案内面２７が形成されている。この案内面２７は、下方に向かうほど底壁２１の外面から遠ざかるように形成されている。したがって、案内面２７に付着した水は、下方へ流れやすくなり、底壁と側壁の角部が直角をなす場合よりも水が溜まりにくくなっている。しかも、図３に示すように、案内面２７に連なるようにして排水孔２６が形成されているため、案内面２７を伝って排水孔２６から外部に水を排出しやすくなっている。
【００２０】
水の排水経路の一例を図６に示す。排水経路Ｒは、カバー部材１２側から側壁２２の内面を伝ってベース部材１１側に流れ、ベース部材１１の案内面２７を伝って底壁２１側に流れる。そして、底壁２１に開口された排水孔２６を通して水が外部に排出されることになる。なお、案内面２７は、カバー本体２０の四隅、すなわち電線Ｗが配設されないデッドスペースを利用して形成されているため、電線Ｗの配設スペースを狭めることなくデッドスペースを有効に利用することができる。
【００２１】
以上のように本実施形態では、カバー本体２０の内部に案内面２７を形成し、この案内面２７に連続して排水孔２６を形成したから、電線カバー１０の内部に水が浸入した場合であっても、排水孔２６から水を外部に排出しやすくできる。また、水が浸入しやすい電線保持部２５の内側に排水孔２６を形成したから、水を排水孔２６から効率よく外部へ排出することができる。
【００２２】
＜他の実施形態＞
本発明は上記記述及び図面によって説明した実施形態に限定されるものではなく、例えば次のような実施形態も本発明の技術的範囲に含まれる。
（１）上記実施形態ではスタッドボルトＢに取り付けられる電線カバー１０を例示しているものの、本発明によると、コネクタの背面に取り付けられる電線カバーに適用してもよい。
【符号の説明】
【００２４】
１０…電線カバー
２０…カバー本体（周壁）
２１…底壁
２２…側壁
２３…天井壁
２５…電線保持部
２６…排水孔
２７…案内面
Ｗ…電線
【図１】
0005691957.tif 000002
【図２】
0005691957.tif 000003
【図３】
0005691957.tif 000004
【図４】
0005691957.tif 000005
【図５】
0005691957.tif 000006
【図６】
0005691957.tif 000007